(57)【特許請求の範囲】
【請求項１】
パチンコ機の本体枠の上角部に固定される固定部と、該固定部にピンと軸受部との嵌合により回動可能に支持され該パチンコ機の前枠の上角部に取り付けられる可動部と、を備えたパチンコ機用蝶番において、
該可動部の水平取付板にピンが下向きに突設され、該固定部の前部に突出部がその前部を囲われて形成され、該突出部の内側には、該ピンが嵌挿される軸受部が一側部を開口して設けられ、その開口した内側部分には、該突出部の横方向から進入した該ピンを保持し下に回動しながら軸受部へ該ピンを導入させるピン案内部材が軸支され、該ピン案内部材には、該ピンを横方向から挿入するための凹部と、該ピンを軸受部に移動させた状態で該ピンの側部を支持するピン支持部と、該ピン支持部が該ピンを支持する位置に該ピン案内部材を戻すための戻しばねと、該位置に停止するためのストッパ部とが設けられたことを特徴とするパチンコ機用蝶番。
【請求項２】
パチンコ機の本体枠の上角部に固定される固定部と、該固定部にピンと軸受部との嵌合により回動可能に支持され該パチンコ機の前枠の上角部に取り付けられる可動部と、を備えたパチンコ機用蝶番において、
該可動部の水平取付板にピンが下向きに突設され、該固定部の前部に水平突出部がその前部を囲われて形成され、該水平突出部には、該ピンが嵌挿される軸受部が一側部を開口して設けられ、その開口した部分に連通する案内路が形成され、該水平突出部の横方向から進入した該ピンを下から保持して該軸受部へ該ピンを導入させる板ばね部材が該水平突出部の下側に弾性変形可能に取り付けられ、該板ばね部材の中間部には該ピンを導入する凹部が形成され、該板ばね部材の先端には該ピンが嵌挿される孔が穿設されていることを特徴とするパチンコ機用蝶番。
【請求項３】
前記案内路は、前記水平突出部の上板を凹状に曲折して形成されている請求項２記載のパチンコ機用蝶番。
【発明の詳細な説明】
【０００１】
【発明の属する技術分野】
本発明は、パチンコ機の前枠を本体枠に対し開閉自在に取り付けるパチンコ機用蝶番に関する。
【０００２】
【従来の技術】
パチンコ機の前枠を本体枠に対し開閉自在に取り付ける蝶番は、上部に取り付けられる上部蝶番と下部に取り付けられる下部蝶番からなる。上部蝶番、下部蝶番共に固定部と可動部とに分かれて形成され、ピンと軸受部の嵌合により可動部側が固定部側に対し回動可能に支持される。つまり、上部蝶番の固定部は本体枠の上角部に固定され、上部蝶番の可動部は前枠の上角部に固定され、下部蝶番の固定部は本体枠の下角部に固定され、下部蝶番の可動部は前枠の下角部に固定される。そして、前枠を本体枠に対し取り付ける場合、前枠を持ってその下部蝶番の可動部を本体枠側の固定部にピンと軸受の嵌合により嵌め込み、同時に、その上部蝶番の可動部を本体枠側の固定部にピンと軸受の嵌合により嵌め込む。
【０００３】
【発明が解決しようとする課題】
従って、上記のように、前枠を本体枠に対し装着する際には、上角部と下角部に設けた両蝶番のピンと軸受を上下同時に嵌め合わせて行なう必要があり、加えて、パチンコ機の前枠には、パチンコ球の打ち出し装置や玉出し装置等の制御駆動装置が数多く取り付けられているから、前枠の重量は非常に重い。また、これらの前枠は、パチンコホールにおいて、作業者の手作業により本体枠側に装着されるため、このような前枠の取り付け作業は、かなり難しく、労力を必要とし、ピンと軸受の嵌合が良好にできない場合には、蝶番や他の部材を傷つけてしまう問題があった。
【０００４】
本発明は、上記の点に鑑みてなされたもので、パチンコ機の前枠と本体枠の上角部と下角部に分離して設けられる蝶番の可動部と固定部を容易に嵌合して組み付けることができるパチンコ機用蝶番を提供することを目的とする。
【０００５】
【課題を解決するための手段】
上記目的を達成するために、本発明の請求項１のパチンコ機用蝶番は、パチンコ機の本体枠の上角部に固定される固定部と、固定部にピンと軸受孔との嵌合により回動可能に支持されパチンコ機の前枠の上角部に取り付けられる可動部と、を備えたパチンコ機用蝶番において、可動部の水平取付板にピンが下向きに突設され、固定部の前部に突出部がその前部を囲われて形成され、突出部の内側には、ピンが嵌挿される軸受部が一側部を開口して設けられ、その開口した内側部分には、突出部の横方向から進入したピンを保持し下に回動しながら軸受部へピンを導入させるピン案内部材が軸支され、ピン案内部材には、ピンを横方向から挿入するための凹部と、ピンを軸受部に移動させた状態でピンの側部を支持するピン支持部と、ピン支持部がピンを支持する位置にピン案内部材を戻すための戻しばねと、その位置に停止するためのストッパ部とが設けられて構成される。
【０００６】
【発明の作用・効果】
このような構成のパチンコ機用蝶番は、パチンコ機の本体枠の上角部に蝶番の固定部が取り付けられ、前枠の上角部に蝶番の可動部が取り付けられる。また、本体枠の下角部と前枠の下角部には、ピンとそのピンを軸支する軸受部を有する下部蝶番の固定部と可動部が取り付けられる。
【０００７】
前枠を本体枠に対し装着する場合、先ず、前枠を持って下部蝶番の可動部を本体枠側の固定部に、ピンと軸受部との嵌合により嵌め込む。ピンと軸受部は可動部または固定部の何れかとなる場合がある。
【０００８】
次に、その下部蝶番を支点にして前枠を少し傾けながら、上部蝶番の可動部の水平取付板に突設したピンを、その固定部の突出部に設けた軸受部の開口した部分に突出部の横方向から進入させ、その内部のピン案内部材内にピンを入れる。そして、そのピンを軸受部側に動かすように前枠を鉛直状態にすると、ピン案内部材が下に回動して、ピンが軸受部内に滑り込むように移動する。これによって、可動部側のピンは固定部側の軸受部に正確に嵌入する。
【０００９】
このように、先ず、下部蝶番を嵌め、次に下部蝶番を支点にして前枠を少し水平方向に傾けながら、可動部のピンを固定部の軸受部にピン案内部材を介して滑り込ませるように嵌合させるため、従来のように、上部蝶番と下部蝶番のピンと軸受部の嵌合を、前枠を持ちながら同時に行なう必要がなく、重量のある前枠を非常に簡単に、本体枠に対し蝶番を介して取り付けることができる。
【００１０】
また、ピン案内部材には、ピンを横方向から挿入するための凹部と、ピンを軸受部に移動させた状態でピンの側部を支持するピン支持部と、ピン支持部がピンを支持する位置にピン案内部材を戻すための戻しばねと、その位置に停止するためのストッパ部とが設けられているから、確実にピンをピン案内部材上で滑らせて軸受部に移動させることができ、軸受部に移動したピンをピン支持部によって良好に軸受することができる。
【００１２】
また、請求項２のように、ピン案内部材に代えて、ピンを下から保持して軸受部へピンを導入させる板ばね部材を、固定部の水平突出部の下側に取り付けることができ、このような板ばね部材を用いることによって、より少ない部品数で、より簡単にピンの嵌合が可能な蝶番を実現することができる。
【００１３】
【発明の実施の形態】
以下、本発明の実施の形態を図面に基づいて説明する。図１、図２はパチンコ機の上角部に取り付けられる上部蝶番の固定部１を示している。この固定部１は、略Ｌ字形に鋼板を曲折した本体の縦板部の前部に突出部２を突設し、その突出部２の先端を略Ｕ字状に曲折することにより、そこに軸受部３を設けて構成される。軸受部３の一側が開口し、突出部２の中間部に軸孔４が設けられる。
【００１４】
その突出部２から軸受部３にかけての内側に、ピン案内部材５が軸１０により上下に揺動可能に軸支される。ピン案内部材５は軸１０を通す軸支部５ａの前方に、後述のピンを入れるための凹部６が設けられ、凹部６の右側面は開放される。さらに、凹部６の前方にピン１３を支持するためのピン支持部７が形成される。また、ピン案内部材５の側部にはストッパ部８が段差により形成され、ストッパ部８は軸受部３の端部に当接可能である。
【００１５】
ピン案内部材５の軸支部５ａに挿通された軸１０には、捩りばねからなる戻しばね９が装着される。この軸１０の端部を突出部２の軸孔４に嵌着することにより、ピン案内部材５が軸１０を支点に回動可能に、突出部２及び軸受部３内に配設される。ピン案内部材５の装着状態で、戻しばね９の上端が固定部１の上部に係止され、戻しばね９の下端がピン案内部材５内に係止される。これにより、ピン案内部材５は図２の時計方向に付勢され、ストッパ部８が軸受部３の端部に当接してピン案内部材５は突出部２内で静止する。この状態で、ピン支持部７は軸受部３内の一側に位置し、そこに挿入されるピン１３を支持する。
【００１６】
このように構成された上部蝶番の固定部１は、そのＬ字状の本体に設けた取付孔と取付ねじを使用して、図３、図４に示すように、パチンコ機の本体枠１５の上角部に、その突出部２を前方に出して固定される。
【００１７】
一方、パチンコ機の前枠１６の上角部には、上部蝶番の可動部１２が取り付けられる。可動部１２は略Ｌ形に曲折した本体を有し、本体の水平取付板の突出端部にピン１３が下方に向けて垂直に固定される。このピン１３は、上記固定部１の軸受部３内に嵌挿可能な形状に形成され、固定部１の軸受部３に対向した位置に配置される。
【００１８】
一方、パチンコ機の本体枠１５の下角部に、下部蝶番の固定部１７が取付られる。この固定部１７はその水平取付板の突出端部にピン１８が上方に向けて垂直に固定される。更に、パチンコ機の前枠１６の下角部に、下部蝶番の可動部１９が取付られる。この可動部１９の水平取付板の突出端部には、軸受部となる軸受孔２０がピン１８を挿通可能に形成される。
【００１９】
前枠１６を本体枠１５に対し開閉可能に装着する場合、先ず、前枠１６を持って下部蝶番の可動部１９の軸受孔２０を、本体枠１５側の固定部１７のピン１８に嵌め込む。軸受孔２０は鋼板に穿設した孔であり、ピンと孔の嵌め合いには多少の間隙があるため、前枠１６は多少傾動可能である。
【００２０】
次に、その下部蝶番を支点にして前枠１６を少し傾けながら、上部蝶番の可動部１２の水平取付板に突設したピン１３を、その固定部１の突出部２に設けた軸受部３の開口した部分に進入させ、その内部のピン案内部材５内にピン１３を入れる。
【００２１】
そして、そのピン１３を軸受部３側に移動させるように前枠１６を動かしてそれを鉛直状態にすると、図５に示すように、ピン案内部材５が軸１０を支点に反時計方向に回動し、ピン１３は軸受部３内に滑り込むように移動する。このとき、ピン案内部材５は戻しばね９の付勢力により上方に回動して戻り、これによって、ピン支持部７がピン１３を支持する位置に戻り、可動部１２のピン１３は固定部１の軸受部３内の正常位置に保持される。
【００２２】
このように、先ず、下部蝶番を嵌め、次に下部蝶番を支点にして前枠１６を少し水平方向に傾けながら、上部蝶番の可動部１２のピン１３を固定部１の軸受部３内にピン案内部材５を介して滑り込ませるように嵌合させるため、従来のように、上部蝶番と下部蝶番のピンと軸受部の嵌合を、前枠を持ちながら同時に行なう必要がなく、重量のある前枠１６を非常に簡単に、本体枠１５に対し蝶番を介して取り付けることができる。
【００２３】
また、ピン案内部材５は突出部２の内側に配設され、前枠１６の閉鎖時には可動部１２の水平取付板が突出部２の上を覆い隠すため、ピン案内部材５は露出せず、悪戯を防止することができる。また、可動部１２のピンが突出部２の横方向から軸受部３内に進入する構造であり、突出部２の前部は完全に囲われているため、不正を防止することができる。
【００２４】
前枠１６を本体枠１５から外す場合、つまり蝶番の可動部１２を固定部１より外す場合、前枠１６を本体枠１５の前方に開いた状態で、前枠１６を上方に持ち上げれば、ピン１３が軸受部３より容易に外れ、簡単に前枠１６つまり蝶番の可動部１２を外すことができる。前枠１６を所定角度以上開かない状態では、前枠１６の切り欠いた上角部が突出部２の下面に当り、前枠１６を持ち上げることができないから、前枠１６を外すことはできない。
【００２５】
図６〜図１０は他の実施例を示している。この例の上部蝶番の固定部３１は、略Ｌ字形に鋼板を曲折した本体の前部に水平突出部３２を突設し、その水平突出部３２の外側周囲に側壁部３２ａを設け、且つ水平部上の先端よりに軸受部３３を設けて構成される。側壁部３２ａにより水平突出部３２は立体形状となり強度的に充分補強される。軸受部３３は長孔状に形成され、そこにはピン１３を軸受部３３まで導入するための案内路３４が連通・接続され、案内路３４の端は水平突出部３２の内側、つまり水平突出部３２を正面から観て右側の側部に開口する。
【００２６】
その水平突出部３２の内側（下側）に、板ばね部材３５がその先端側をフリーにして上下に弾性変形可能に、その元部を固定部３１本体内側に２本のリベット３８で固定して配設される。板ばね部材３５は、図６、図７に示すように、その先端部に、ピン１３を挿入するための孔３７を有し、更に、中間部にはピン１３を導入するための凹部３６を有し、凹部３６から孔３７にかけては傾斜部３６ａが形成される。そして、この板ばね部材３５の孔３７のある先端部は、そのばね力により、水平突出部３２の内側に当接して静止し、孔３７と軸受部３３の位置が合致している。
【００２７】
このような上部蝶番の固定部３１は、上記実施例と同様、そのＬ字状の本体に設けた取付孔と取付ねじを使用して、図８、図９に示すように、パチンコ機の本体枠１５の上角部に、その水平突出部３２を前方に出して固定される。
【００２８】
また、パチンコ機の前枠１６の上角部には、上記と同様、上部蝶番の可動部１２が取り付けられ、可動部１２には、その本体の水平取付板の突出端部に、ピン１３が下方に向けて垂直に固定される。このピン１３は、上記固定部３１の軸受部３３内に嵌挿可能な形状に形成され、固定部３１の軸受部３３に対向した位置に配置される。
【００２９】
また、上記実施例と同様に、パチンコ機の本体枠１５の下角部に、下部蝶番の固定部１７が取付られ、固定部１７はその水平取付板の突出端部にピン１８が上方に向けて垂直に固定され、更に、パチンコ機の前枠１６の下角部に、下部蝶番の可動部１９が取付られる。この可動部１９の水平取付板の突出端部には、軸受部となる軸受孔２０がピン１８を挿通可能に形成される。
【００３０】
前枠１６を本体枠１５に対し開閉可能に装着する場合、先ず、上記と同様、前枠１６を持って下部蝶番の可動部１９の軸受孔２０を、本体枠１５側の固定部１７のピン１８に嵌め込む。軸受孔２０は鋼板に穿設した孔であり、ピンと孔の嵌め合いには多少の間隙があるため、前枠１６は多少傾動可能である。
【００３１】
次に、その下部蝶番を支点にして前枠１６を少し傾けながら、上部蝶番の可動部１２の水平取付板に突設したピン１３を、その固定部３１の水平突出部３２の側部に設けた軸受部３３の案内路３４に進入させる。
【００３２】
そして、そのピン１３を案内路３４から軸受部３３側に移動させるように前枠１６を動かしてそれを鉛直状態にすると、図９、図１０に示すように、ピン１３は、板ばね部材３５の凹部３６から傾斜部３６ａに進む時、板ばね部材３５を下方に撓ませながら軸受部３内に入り、板ばね部材３５の先端の孔３７に嵌り込む。このとき、板ばね部材３５はそのばね力により上方に戻って水平突出部３２の下面に当接し、これによって、板ばね部材３５の孔３７がピン１３に正確に嵌ってピン１３を支持し、可動部１２のピン１３は固定部３１の軸受部３３内の正常位置に回転可能に保持される。
【００３３】
このように、先ず、下部蝶番を嵌め、次に下部蝶番を支点にして前枠１６を少し水平方向に傾けながら、上部蝶番の可動部１２のピン１３を固定部３１の軸受部３３内に、案内路３４と板ばね部材３５を経て滑り込ませるように嵌合させるため、従来のように、上部蝶番と下部蝶番のピンと軸受部の嵌合を、前枠を持ちながら同時に行なう必要がなく、重量のある前枠１６を非常に簡単に、本体枠１５に対し蝶番を介して取り付けることができる。
【００３４】
また、板ばね部材３５は水平突出部３２の下側で側壁部３２ａで囲われた部分に隠れて配設されるため、外部からは見えにくく、前枠１６の閉鎖時には、前枠１６の上角部により水平突出部３２の下面も覆われるため、不正や悪戯を防止することができる。また、可動部１２のピンが、水平突出部３２の横方向から、つまり水平突出部３２の右側の側部から軸受部３３内に進入する構造であり、水平突出部３２の前部は完全に囲われているため、不正を防止することができる。
【００３５】
前枠１６を本体枠１５から外す場合、つまり蝶番の可動部１２を固定部３１より外す場合、前枠１６を本体枠１５の前方に開いた状態で、前枠１６を上方に持ち上げれば、ピン１３が軸受部３３より容易に外れ、簡単に前枠１６つまり蝶番の可動部１２を外すことができる。前枠１６を所定角度以上開かない閉鎖状態では、前枠１６の上角部が水平突出部３２の下面に当り、前枠１６を持ち上げることができないから、前枠１６を外すことはできない。
【００３６】
図１１は、更に別の実施例の上部蝶番を示している。この上部蝶番の固定部４１は、上記と同様に、略Ｌ字形に鋼板を曲折した本体の前部に水平突出部４２を突設し、その水平突出部４２の外側周囲に側壁部４２ａを設け、且つ水平部上の先端よりに軸受部４３を設けて構成される。側壁部４２ａにより水平突出部４２は立体形状となり強度的に充分補強される。軸受部４３は長孔状に形成され、そこにはピンを軸受部４３まで導入するための案内路４４が連通・接続され、案内路４４の端は水平突出部４２の内側、つまり水平突出部４２を正面から観て右側の側部に開口する。
【００３７】
この水平突出部４２の案内路４４の周辺形状は、上記実施例とは明確に相違する。即ち、上記実施例では、水平突出部３２の上板を切欠いて案内路３４を形成していたのに対し、この例では、水平突出部４２の上板を切欠くことなく下側に凹状に曲折して案内路３４を形成している。このように、上板を切欠かず曲折して形成することにより、水平突出部４２の強度を、より向上させることができる。
【００３８】
水平突出部４２の内側（下側）には、上記と同様の板ばね部材３５が、その先端側をフリーにして上下に弾性変形可能に、その元部を固定部４１本体内側にリベットで固定して配設される。板ばね部材３５の形状・構造は上記と同様であり、また、可動部のピンを、案内路４４と板ばね部材３５を経て軸受部４３内に滑り込ませて、簡単に嵌合することができるという作用・効果は、上記と同様である。
【００３９】
なお、上記実施例とは逆に、下部蝶番においては、そのピンを可動部に設け、ピンが嵌る軸受部（孔）はその固定部に設けることもできる。
【図面の簡単な説明】
【図１】本発明の一実施形態を示す上部蝶番の固定部１の平面図である。
【図２】上部蝶番の固定部１の右側面図である。
【図３】パチンコ機の本体枠１５と前枠１６の上角部に取りつけた上部蝶番と下角部に取り付けた下部蝶番の斜視図である。
【図４】上部蝶番の可動部１２を固定部１に嵌める際の平面図である。
【図５】上部蝶番の可動部１２を固定部１に嵌める際の右側面図である。
【図６】他の実施例の上部蝶番の固定部３１の平面図である。
【図７】同上部蝶番の固定部３１の右側面図である。
【図８】他の実施例のパチンコ機の本体枠１５と前枠１６の上角部に取りつけた上部蝶番と下角部に取り付けた下部蝶番の斜視図である。
【図９】上部蝶番の可動部１２を固定部３１に嵌める際の平面図である。
【図１０】上部蝶番の可動部１２を固定部３１に嵌める際の右側面図である。
【図１１】更に別の実施例を示す上部蝶番の固定部４１の斜視図である。
【符号の説明】
１−固定部
２−突出部
３−軸受部
５−ピン案内部材
６−凹部
７−ピン支持部
９−戻しばね
１２−可動部
１３−ピン
１５−本体枠
１６−前枠
【図１】
0003872215.tif 000002
【図２】
0003872215.tif 000003
【図３】
0003872215.tif 000004
【図４】
0003872215.tif 000005
【図５】
0003872215.tif 000006
【図６】
0003872215.tif 000007
【図７】
0003872215.tif 000008
【図８】
0003872215.tif 000009
【図９】
0003872215.tif 000010
【図１０】
0003872215.tif 000011
【図１１】
0003872215.tif 000012